(57)【特許請求の範囲】
【請求項１】
装置本体と、
前記装置本体に着脱可能に装着され、記録媒体を前記装置本体に供給する供給装置とを備え、
前記装置本体は、前記記録媒体に画像を形成する画像形成部と、前記画像形成部を支持する本体フレームとを含み、
前記本体フレームは、位置決め部と、側壁フレームとを有し、
前記側壁フレームは、側壁フレーム本体と、フランジ部とを有し、
前記フランジ部は、前記側壁フレーム本体の下端部から前記側壁フレーム本体の両側主面のうちの一方の主面の側に突出し、
前記フランジ部の短手方向の先端部は、上方向に向かって立設され、
前記位置決め部は、前記フランジ部に設けられた第１孔部を有し、
前記装置本体は、第１コネクターと連結する第２コネクターと、前記第２コネクターが取り付けられるコネクター取付部と、突出部を有する外装カバーとを更に含み、
前記コネクター取付部の先端部が前記本体フレームの側方に突出するように、前記コネクター取付部が前記フランジ部に設けられ、
前記コネクター取付部の先端部は、前記突出部の下側に隣接し、
前記コネクター取付部は、開口部を有し、
前記供給装置は、被位置決め部と、前記第１コネクターとを有し、
前記被位置決め部は、前記第１コネクターに隣接して配置された突起部であり、
前記位置決め部と前記突起部とが嵌合し、前記本体フレームと前記供給装置との相対的な位置が決められ、
前記コネクター取付部の前記開口部は、前記突起部に挿通される、画像形成装置。
【請求項２】
前記本体フレームは、前記側壁フレームと連結された底フレームを更に有し、
前記位置決め部は、第２孔部を更に有し、
前記第２孔部は、前記側壁フレームの前記フランジ部と前記底フレームとの連結部分に設けられる、請求項１に記載の画像形成装置。
【請求項３】
前記第２孔部の直径は、前記第１孔部の直径よりも大きい、請求項２に記載の画像形成装置。
【請求項４】
前記フランジ部は、前記第１孔部を挟んで形成された一対の締結部を有し、
前記一対の締結部は、前記フランジ部の短手方向の先端部で、上方向に向かって立設され、
前記コネクター取付部は、前記一対の締結部に締結されている、請求項１から請求項３の何れか１項に記載の画像形成装置。
【請求項５】
前記側壁フレーム本体は、位置決め突起部を有し、
前記コネクター取付部の前記先端部に対向する基端部は、前記位置決め突起部によって位置決めされている、請求項４に記載の画像形成装置。
【請求項６】
前記第１コネクターの平面形状は、前記供給装置の装着面の縁部に沿って延びた長形状であり、
前記被位置決め部は、前記第１コネクターにおける前記平面形状の短手方向の端部に隣接する、請求項１から請求項５のいずれか１項に記載の画像形成装置。
【請求項７】
前記コネクター取付部は、導電性を有し、
前記供給装置は、アース接点部を更に備え、
前記アース接点部は、前記被位置決め部と前記第１コネクターとの間に配置され、前記コネクター取付部に導電可能に接触する、請求項１から請求項６のいずれか１項に記載の画像形成装置。
【発明の詳細な説明】
【技術分野】
【０００１】
本発明は、画像形成装置に関する。
【背景技術】
【０００２】
特許文献１に記載の画像形成装置は、装置本体と、給紙装置とを備える。装置本体は、画像形成部を支持する本体フレームと、ガイド部材とを備える。給紙装置は、装置本体に着脱可能に装着される。ガイド部材は、本体フレームに取り付けられている。ガイド部材には、位置決め孔部が設けられている。給紙装置は、位置決め突起部を有する。位置決め突起部は、位置決め孔部に挿入される。この結果、本体フレームと給紙装置との相対的な位置が決められる。
【先行技術文献】
【特許文献】
【０００３】
【特許文献１】特開２００６−４７５１５号公報
【発明の概要】
【発明が解決しようとする課題】
【０００４】
しかしながら、特許文献１に記載の画像形成装置では、本体フレームと給紙装置との相対的な位置の誤差に、ガイド部材と本体フレームとの相対的な位置の誤差が含まれる。その結果、本体フレームと給紙装置との相対的な位置の誤差が大きくなる可能性がある。
【０００５】
本体フレームと給紙装置との相対的な位置の誤差が大きいと、給紙装置の用紙排出口と、装置本体の用紙搬入口との相対的な位置の誤差が大きくなる。この結果、装置本体の用紙搬送路において、その用紙搬送路の幅方向の片側に寄った状態で、用紙が搬送される恐れがある。従って、用紙に対する画像形成開始位置にばらつきが発生し易い。換言すると、用紙の片側（用紙搬送路の幅方向の片側）のマージンの大きさにばらつきが発生し易い。
【０００６】
本発明は上記課題に鑑みてなされたものであり、その目的は、本体フレームと給紙装置との相対的な位置の誤差が大きくなり難い画像形成装置を提供することにある。
【課題を解決するための手段】
【０００７】
本発明に係る画像形成装置は、装置本体と、給紙装置とを備える。前記装置本体は、用紙に画像を形成する。前記給紙装置は、前記装置本体に着脱可能に装着され、前記用紙を供給する。前記装置本体は、画像形成部と、本体フレームとを備える。前記画像形成部は、前記用紙に前記画像を形成する。前記本体フレームは、前記画像形成部を支持する。前記本体フレームは、位置決め部を有する。前記給紙装置は、被位置決め部を有する。前記位置決め部と前記被位置決め部とが嵌合し、前記本体フレームと前記給紙装置との相対的な位置が決められる。
【発明の効果】
【０００８】
本発明に係る画像形成装置によれば、本体フレームと給紙装置との相対的な位置の誤差を低減できる。
【図面の簡単な説明】
【０００９】
【図１】本発明の実施形態に係る画像形成装置を示す断面図である。
【図２】給紙装置を示す斜視図である。
【図３】ドロワーコネクターの周辺を示す斜視図である。
【図４】画像形成装置を示す斜視図である。
【図５】本体フレームを示す斜視図である。
【図６】右フレームのフランジ部を示す斜視図である。
【図７】底フレームの右端部を下側から見た斜視図である。
【図８】右フレームのフランジ部を示す斜視図である。
【図９】左フレームのフランジ部を示す斜視図である。
【図１０】コネクター取付部を示す斜視図である。
【図１１】コネクター取付部を示す斜視図である。
【図１２】コネクター取付部の周辺を示す断面図である。
【図１３】外装カバーの右壁部を下側から見た斜視図である。
【発明を実施するための形態】
【００１０】
＜実施形態＞
以下、本発明の実施形態について、図面を参照しながら説明する。なお、図中、同一又は相当部分については同一の参照符号を付して説明を繰り返さない。
【００１１】
図１を参照して、本発明の第１実施形態に係る画像形成装置１について説明する。図１は、画像形成装置１を示す断面図である。
【００１２】
図１に示すように、画像形成装置１は、例えばプリンターであり、用紙Ｐ（記録媒体）に画像を形成する。画像形成装置１は、装置本体１０と、給紙装置２０（供給装置）とを備える。
【００１３】
装置本体１０は、用紙Ｐに画像を形成する。装置本体１０は、外装カバー２と、給紙カセット３と、画像形成部４と、排紙トレイ５と、本体フレーム６と、用紙搬送路Ｌ１と、用紙搬送路Ｌ２とを備える。
【００１４】
外装カバー２は、給紙カセット３、画像形成部４、本体フレーム６、用紙搬送路Ｌ１及び用紙搬送路Ｌ２を収容する。外装カバー２は、例えば直方体形の箱形状を有する。外装カバー２は、前壁部２Ｆ、後壁部２Ｂ、左壁部２Ｌ、右壁部、及び、上壁部２Ｕを有する。左壁部２Ｌは、図中の紙面垂直方向の奥側に面している。右壁部は、図中の紙面垂直方向の手前側に面している。前壁部２Ｆ側、後壁部２Ｂ側、左壁部２Ｌ側及び右壁部側をそれぞれ、画像形成装置１の前側、後側、左側及び右側と記載する場合がある。
【００１５】
排紙トレイ５には、用紙Ｐが排出される。排紙トレイ５は、外装カバー２の上壁部２Ｕの上面２Ｕａに凹状に設けられている。排紙トレイ５の後端部５ａには、用紙排出口７が設けられている。用紙排出口７は、用紙Ｐを外装カバー２の内部から排紙トレイ５に排出するための開口である。
【００１６】
用紙搬送路Ｌ１は、用紙Ｐを、給紙カセット３から画像形成部４を経由して用紙排出口７に案内する。給紙カセット３は、用紙搬送路Ｌ１を通じて画像形成部４に用紙Ｐを供給する。画像形成部４は、用紙Ｐに画像を形成する。用紙Ｐは、画像形成部４による画像形成処理の後、用紙搬送路Ｌ１を通じて用紙排出口７に搬送される。そして、用紙Ｐは、用紙排出口７から排紙トレイ５に排出される。
【００１７】
本体フレーム６は、画像形成装置１の骨格を構成する。本体フレーム６は、画像形成部４を支持している。本体フレーム６は、外装カバー２の内側に配置されている。本体フレーム６の下面には、用紙搬入口６ａが設けられている。用紙搬入口６ａは、用紙Ｐを給紙装置２０から装置本体１０に搬入するための開口である。
【００１８】
用紙搬送路Ｌ２は、用紙Ｐを用紙搬入口６ａから用紙搬送路Ｌ１に案内する。用紙Ｐは、用紙搬送路Ｌ２を通じて用紙搬送路Ｌ１に案内された後、用紙搬送路Ｌ１を通じて画像形成部４及び用紙排出口７を経由して排紙トレイ５に排出される。
【００１９】
給紙装置２０は、装置本体１０に用紙Ｐを供給する。給紙装置２０は、装置本体１０に着脱可能に装着されている。具体的には、給紙装置２０は、装置本体１０の下面に着脱可能に装着されており、装置本体１０の用紙搬入口６ａに用紙Ｐを供給する。
【００２０】
給紙装置２０は、外装カバー２１と、給紙カセット２２とを備える。外装カバー２１は、給紙カセット２２を収容する。外装カバー２１の上面２１ａには、用紙搬出口２１ｂが設けられている。給紙カセット２２は、用紙搬出口２１ｂから装置本体１０の用紙搬入口６ａに用紙Ｐを供給する。
【００２１】
図２を参照して、給紙装置２０について説明する。図２は、給紙装置２０を示す斜視図である。
【００２２】
図２に示すように、給紙装置２０は、位置決め突起部２３（被位置決め部、突起部）と、ドロワーコネクター２４（第１コネクター）とを備える。
【００２３】
外装カバー２１は、例えば、偏平な略直方体形の箱形状を有する。外装カバー２１の上面２１ａ（装着面）に、図１を参照して説明した装置本体１０が着脱可能に装着される。
【００２４】
位置決め突起部２３は、図１を参照して説明した本体フレーム６と、給紙装置２０との相対的な位置を決める。位置決め突起部２３は、例えば、棒状のピン形状を有する。位置決め突起部２３は、外装カバー２１の上面２１ａの周縁部に立設されている。具体的には、位置決め突起部２３は、左右一対設けられており、上面２１ａの左縁部の前側と、右縁部の前側とに配置されている。
【００２５】
ドロワーコネクター２４には、給紙装置２０が備える駆動装置（例えばモーター）等に給電する電力が入力される。ドロワーコネクター２４は、装置本体１０のコネクターに連結する。
【００２６】
ドロワーコネクター２４の平面形状は、長形状（例えば略矩形形状）である。ドロワーコネクター２４は、外装カバー２１の上面２１ａの周縁部に沿って配置されている。具体的には、ドロワーコネクター２４は、外装カバー２１の上面２１ａにおいて、左右一対のうちの一方（例えば右側）の位置決め突起部２３の付近に配置されている。ドロワーコネクター２４は、例えば、外装カバー２１の前後方向に沿って配置されている。
【００２７】
左右一対の位置決め突起部２３は、仮想直線Ｌ上に配置されている。仮想直線Ｌは、ドロワーコネクター２４の平面形状の長辺２４ａ及び短辺２４ｂのうちの長辺２４ａに直交する直線である。図２においては、左右一対のうちの右側の位置決め突起部２３は、ドロワーコネクター２４の左側の長辺２４ａに隣接している。なお、右側の位置決め突起部２３は、ドロワーコネクター２４の右側の長辺２４ａに隣接してもよい。
【００２８】
左右一対の位置決め突起部２３が仮想直線Ｌ上に位置している。従って、給紙装置２０の上面２１ａ上で、図１を参照して説明した装置本体１０が前後に傾いたとき、位置決め突起部２３が装置本体１０から外れる前に、ドロワーコネクター２４が装置本体１０から外れることを抑制できる。この結果、ドロワーコネクター２４に負荷が掛かることを抑制できる。
【００２９】
図３を参照して、給紙装置２０について更に説明する。図３は、給紙装置２０におけるドロワーコネクター２４の周辺を示す斜視図である。
【００３０】
図３に示すように、給紙装置２０は、アース接点部２５を更に備える。
【００３１】
アース接点部２５は、例えば、線状の導電部材により形成されており、上方向に突出した形状（例えば逆Ｖ字形状）を有する。アース接点部２５は、外装カバー２１に配置されており、外装カバー２１の上面２１ａから上方向に突出している。
【００３２】
図４を参照して、装置本体１０について説明する。図４は、画像形成装置１を示す斜視図である。図４においては、図１を参照して説明した外装カバー２は、図示省略されている。
【００３３】
図４に示すように、装置本体１０は、コネクター１１（第２コネクター）と、コネクター取付部１２とを更に備える。
【００３４】
コネクター１１は、給紙装置２０に給電する電力をドロワーコネクター２４に供給する。コネクター１１は、給紙装置２０のドロワーコネクター２４に着脱可能に連結される。
【００３５】
コネクター取付部１２は、コネクター１１を支持する。コネクター取付部１２は、本体フレーム６の側方に突出するように、本体フレーム６に配置されている。具体的には、コネクター取付部１２は、本体フレーム６の外周側面のうちの一側（例えば右側）の側面６ｂの下部に設けられており、側面６ｂに垂直な方向に突出している。
【００３６】
図５を参照して、本体フレーム６について説明する。図５は、本体フレーム６を示す斜視図である。図５においては、図４を参照して説明したコネクター取付部１２及びコネクター１１は、図示省略されている。
【００３７】
図５に示すように、本体フレーム６は、左フレーム６Ｌ（側壁フレーム）、右フレーム６Ｒ（側壁フレーム）、前フレーム６Ｆ、後フレーム６Ｂ、及び底フレーム６Ｓを備える。
【００３８】
左フレーム６Ｌは、図１を参照して説明した外装カバー２の左壁部２Ｌの裏側に配置されている。右フレーム６Ｒは、外装カバー２の右壁部の裏側に配置されている。左フレーム６Ｌ及び右フレーム６Ｒはそれぞれ、外装カバー２の左壁部２Ｌ及び右壁部と略同一形状で且つ略同一寸法の平板形状を有する。図５を参照して説明する具体例では、左フレーム６Ｌ及び右フレーム６Ｒはそれぞれ、矩形の板形状を有する。
【００３９】
前フレーム６Ｆは、左フレーム６Ｌの前端部と右フレーム６Ｒの前端部とに連結されている。後フレーム６Ｂは、左フレーム６Ｌの後端部と右フレーム６Ｒの後端部とに連結されている。底フレーム６Ｓは、外装カバー２の開放底面に配置されており、左フレーム６Ｌの下端部と右フレーム６Ｒの下端部とに連結されている。
【００４０】
右フレーム６Ｒは、右フレーム本体６Ｒａ（側壁フレーム本体）と、フランジ部６Ｒｂとを有する。
【００４１】
フランジ部６Ｒｂには、底フレーム６Ｓが連結される。フランジ部６Ｒｂは、右フレーム本体６Ｒａの下端部に設けられており、右フレーム本体６Ｒａの下端部の長手方向（即ち画像形成装置１の前後方向）に亘って延びている。フランジ部６Ｒｂは、右フレーム本体６Ｒａの両側の主面のうちの外側主面（図４を参照して説明した本体フレーム６の側面６ｂ）から、右フレーム本体６Ｒａの側方に突出している。以下、側面６ｂを外側主面６ｂと記載する場合がある。右フレーム６Ｒの構成と同様に、左フレーム６Ｌは、左フレーム本体６Ｌａ（側壁フレーム本体）と、フランジ部６Ｌｂとを有する。
【００４２】
底フレーム６Ｓの右端部は、右フレーム６Ｒのフランジ部６Ｒｂの下面に連結されている。底フレーム６Ｓの左端部は、左フレーム６Ｌのフランジ部６Ｌｂの下面に連結されている。
【００４３】
本体フレーム６は、位置決め孔部１６（位置決め部、孔部）を有する。位置決め孔部１６は、本体フレーム６と給紙装置２０との相対的な位置を決める。位置決め孔部１６が本体フレーム６（即ち装置本体１０の骨格部分）に設けられるため、位置決め孔部１６が、本体フレーム６に取り付けられるガイド部材に設けられる場合と比べて、本体フレーム６と給紙装置２０との相対的な位置の誤差が大きくなり難い。
【００４４】
位置決め孔部１６は、本体フレーム６の左右両側に一対設けられている。具体的には、位置決め孔部１６は、左フレーム６Ｌと底フレーム６Ｓとの連結部分と、右フレーム６Ｒと底フレーム６Ｓとの連結部分とに設けられている。
【００４５】
左フレーム６Ｌと底フレーム６Ｓとの連結部分、及び、右フレーム６Ｒと底フレーム６Ｓとの連結部分はそれぞれ、本体フレーム６のうちで強度が高い部分である。従って、位置決め孔部１６が、左フレーム６Ｌと底フレーム６Ｓとの連結部分、及び、右フレーム６Ｒと底フレーム６Ｓとの連結部分に設けられることによって、本体フレーム６と給紙装置２０との相対的な位置の誤差を一層低減できる。
【００４６】
左右一対の位置決め孔部１６はそれぞれ、第１位置決め孔部１３（第１孔部）と、第２位置決め孔部１４（第２孔部）とを含む。
【００４７】
図６を参照して、第１位置決め孔部１３について説明する。図６は、右フレーム６Ｒのフランジ部６Ｒｂを示す斜視図である。図６においては、図４を参照して説明したコネクター１１及びコネクター取付部１２は、図示省略されている。
【００４８】
図６に示すように、左右一対のうちの右側の第１位置決め孔部１３は、右フレーム６Ｒが有するフランジ部６Ｒｂにおいて、フランジ部６Ｒｂと底フレーム６Ｓとの連結部分に設けられている。図示省略されるが、左右一対のうちの左側の第１位置決め孔部１３は、左フレーム６Ｌが有するフランジ部６Ｌｂにおいて、フランジ部６Ｌｂと底フレーム６Ｓとの連結部分に設けられている。
【００４９】
続いて、図６を参照して、右フレーム６Ｒにおけるコネクター取付部１２の取り付け構造について説明する。図６においては、コネクター取付部１２は、図示省略されている。第１位置決め孔部１３は、バーリング加工によって形成される。その結果、フランジ部６Ｒｂから上方に立ち上がる内壁面が形成される。
【００５０】
図６に示すように、右フレーム６Ｒは、一対の締結部６Ｒｃ，６Ｒｃと、一対の位置決め突起部６Ｒｄ，６Ｒｄとを更に有する。
【００５１】
一対の締結部６Ｒｃ，６Ｒｃには、図４を参照して説明したコネクター取付部１２が締結される。一対の締結部６Ｒｃ，６Ｒｃは、フランジ部６Ｒｂにおける短手方向（画像形成装置１の左右方向）の先端部から上方向に向かって、立設されている。一対の締結部６Ｒｃ，６Ｒｃは、互いに間隔を空けて配置されている。第１位置決め孔部１３は、一対の締結部６Ｒｃ，６Ｒｃの間に位置する。
【００５２】
一対の締結部６Ｒｃ，６Ｒｃはそれぞれ、螺孔部６ｃを有する。螺孔部６ｃには、ビスが螺合される。ビスは、コネクター取付部１２を締結する。
【００５３】
一対の位置決め突起部６Ｒｄ，６Ｒｄは、右フレーム６Ｒとコネクター取付部１２との相対的な位置を決める。一対の位置決め突起部６Ｒｄ，６Ｒｄはそれぞれ、例えば偏平な円柱形状を有する。一対の位置決め突起部６Ｒｄ，６Ｒｄは、右フレーム本体６Ｒａの両側の主面のうちの外側主面６ｂに突状に設けられている。一対の位置決め突起部６Ｒｄ，６Ｒｄは、画像形成装置１の前後方向に並んでいる。
【００５４】
図７を参照して、第２位置決め孔部１４について説明する。図７は、底フレーム６Ｓの右端部を下側から見た斜視図である。
【００５５】
図７に示すように、左右一対のうちの右側の第２位置決め孔部１４は、底フレーム６Ｓにおけるフランジ部６Ｒｂと底フレーム６Ｓとの連結部分に設けられている。右側の第２位置決め孔部１４は、左右一対のうちの右側の第１位置決め孔部１３と連通している。即ち、第１位置決め孔部１３は、第２位置決め孔部１４の上側に配置されている。第２位置決め孔部１４の直径は、第１位置決め孔部１３の直径よりも大きい。具体的には、第２位置決め孔部１４の直径は、第１位置決め孔部１３の直径よりも若干大きい。そして、第１位置決め孔部１３の周縁部は、第２位置決め孔部１４の内側に張り出している。第１位置決め孔部１３は、本体フレーム６と給紙装置２０との相対的な位置を精度良く決める。第２位置決め孔部１４は、本体フレーム６と給紙装置２０との相対的な位置を大雑把に決める。
【００５６】
図８及び図９を参照して、第１位置決め孔部１３及び第２位置決め孔部１４と位置決め突起部２３との係合の仕方について説明する。図８は、右フレーム６Ｒのフランジ部６Ｒｂを示す斜視図である。図８においては、図４を参照して説明したコネクター１１及びコネクター取付部１２は、図示省略されている。図９は、左フレーム６Ｌのフランジ部６Ｌｂを示す斜視図である。
【００５７】
図８に示すように、本体フレーム６が給紙装置２０の上面２１ａに装着されると、左右一対のうちの右側の位置決め突起部２３が、左右一対の右側の第２位置決め孔部１４と、左右一対のうちの右側の第１位置決め孔部１３とに順に挿通（嵌合）される。
【００５８】
図９に示すように、本体フレーム６が給紙装置２０の上面２１ａに装着されると、左右一対のうちの左側の位置決め突起部２３が、左右一対のうちの左側の第２位置決め孔部１４と、左右一対のうちの右側の第１位置決め孔部１３とに順に挿通（嵌合）される。
【００５９】
左右一対の位置決め突起部２３が左右一対の第２位置決め孔部１４に挿通されることによって、本体フレーム６と給紙装置２０との相対的な位置が大雑把に決められる。そして、左右一対の位置決め突起部２３が左右一対の第１位置決め孔部１３に挿通されることによって、本体フレーム６と給紙装置２０との相対的な位置が精度良く決められる。また、第１位置決め孔部１３がバーリング加工により形成されているため、位置決め突起部２３は、削られることなく円滑に第１位置決め孔部１３に挿通される。
【００６０】
図１０及び図１１を参照して、コネクター取付部１２について説明する。図１０及び図１１は、コネクター取付部１２を示す斜視図である。図１０においては、本体フレーム６に給紙装置２０は装着されていないが、図１１においては、本体フレーム６に給紙装置２０は装着されている。
【００６１】
図１０に示すように、コネクター取付部１２は、右フレーム６Ｒに配置されている。コネクター取付部１２の先端部１２ｓは、右フレーム６Ｒの両側の主面のうちの外側主面６ｂよりも側方に突出している。
【００６２】
画像形成装置１は、一対のビス１５，１５を備える。一対のビス１５，１５は、コネクター取付部１２を右フレーム６Ｒに締結する。
【００６３】
コネクター取付部１２は、導電性を有する部材（例えば金属）によって形成されている。コネクター取付部１２は、コネクター取付部本体１２ａと、フランジ部１２ｂと、一対の締結部１２ｃ，１２ｃとを有する。
【００６４】
コネクター取付部本体１２ａは、略矩形の板形状を有する。コネクター取付部本体１２ａは、第１位置決め孔部１３の上側に間隔を空けて配置されている。コネクター取付部本体１２ａは、フランジ部６Ｒｂに対して平行であり、且つ、右フレーム本体６Ｒａの外側主面６ｂに対して垂直である。
【００６５】
コネクター取付部本体１２ａにおける先端部側半分及び基端部側半分のうちの先端部側半分は、フランジ部６Ｒｂよりも外側（即ち右側）に突出している。コネクター１１は、コネクター取付部本体１２ａの先端部側半分に取り付けられている。
【００６６】
コネクター取付部本体１２ａは、開口部１２ｇを有する。開口部１２ｇの開口面は、例えば略矩形形状を有する。開口部１２ｇは、コネクター取付部本体１２ａにおいて、第１位置決め孔部１３に対向する位置に設けられている。
【００６７】
フランジ部１２ｂは、右フレーム本体６Ｒａの外側主面６ｂに当接する。フランジ部１２ｂは、略矩形の板形状を有する。フランジ部１２ｂは、コネクター取付部本体１２ａの基端部１２ｋに設けられており、上方向に向かって突出している。フランジ部１２ｂは、基端部１２ｋの長手方向（即ち画像形成装置１の前後方向）に亘って延びている。
【００６８】
フランジ部１２ｂは、一対の位置決め孔部１２ｄ，１２ｅを有する。
【００６９】
一対の位置決め孔部１２ｄ，１２ｅは、一対の位置決め突起部６Ｒｄ，６Ｒｄと係合する。この結果、右フレーム６Ｒとコネクター取付部１２との相対的な位置が決められる。一対の位置決め孔部１２ｄ，１２ｅは、フランジ部１２ｂの長手方向に沿って互いに間隔を空けて設けられている。
【００７０】
位置決め孔部１２ｄの開口面は、円形状を有する。位置決め孔部１２ｅの開口面は、横長の略矩形形状を有する。具体的には、位置決め孔部１２ｅの開口面は、フランジ部１２ｂの長手方向に沿って延びている。位置決め孔部１２ｄは、外側主面６ｂ上でのコネクター取付部１２の上下方向及び横方向の位置を決める。位置決め孔部１２ｅは、外側主面６ｂ上でのコネクター取付部１２の上下方向の位置を決める。
【００７１】
一対の締結部１２ｃ，１２ｃは、コネクター取付部本体１２ａの両側に設けられており、コネクター取付部本体１２ａの両側に突出している。コネクター取付部本体１２ａの両側とは、コネクター取付部本体１２ａにおけるフランジ部６Ｒｂの長手方向（画像形成装置１の前後方向）の両側である。
【００７２】
具体的には、コネクター取付部本体１２ａは、一対の屈曲部１２ｆ，１２ｆを有する。一対の屈曲部１２ｆ，１２ｆは、コネクター取付部本体１２ａの先端部側半分の両側の端部に設けられている。一対の屈曲部１２ｆ，１２ｆは、コネクター取付部本体１２ａの下側に突出している。一対の締結部１２ｃ，１２ｃは、一対の屈曲部１２ｆ，１２ｆにおけるフランジ部６Ｒｂ側の端部に設けられている。一対の締結部１２ｃ，１２ｃは、コネクター取付部本体１２ａの両側に突出している。
【００７３】
一対の締結部１２ｃ，１２ｃはそれぞれ、貫通孔部を有する。一対のビス１５，１５は、一対の締結部１２ｃ，１２ｃの貫通孔部に挿通されて、図６を参照して説明した一対の螺孔部６ｃ，６ｃに螺合されている。この結果、コネクター取付部１２は、右フレーム６Ｒに締結される。
【００７４】
図１１に示すように、給紙装置２０の上面２１ａに本体フレーム６が装着されると、給紙装置２０の位置決め突起部２３が、本体フレーム６の第２位置決め孔部１４及び第１位置決め孔部１３、並びにコネクター取付部１２の開口部１２ｇに順に挿通される。開口部１２ｇによって、位置決め突起部２３が本体フレーム６から一定範囲以上ずれることが防止される。
【００７５】
図１２を参照して、コネクター取付部１２について更に説明する。図１２は、画像形成装置１におけるコネクター取付部１２の周辺を示す断面図である。詳しくは、図１２は、コネクター取付部１２の周辺を画像形成装置１の前後方向に直交する切断面で切断した断面図である。
【００７６】
図１２に示すように、外装カバー２は、突出部２ｂを有する。突出部２ｂは、コネクター取付部１２の先端部１２ｓの上側に隣接する。従って、コネクター取付部１２がドロワーコネクター２４によって上側に突き上げられたときに、先端部１２ｓが突出部２ｂに当接する。この結果、コネクター取付部１２が上側に折れ曲がることが抑制される。
【００７７】
突出部２ｂは、外装カバー２の右壁部２Ｒの内側主面２Ｒｈに設けられており、外装カバー２の内側に突出している。
【００７８】
コネクター１１は、コネクター取付部本体１２ａの先端部側半分に配置されており、コネクター取付部本体１２ａの下側に向かって突出している。
【００７９】
コネクター取付部本体１２ａは、接点部１２ｈを更に有する。接点部１２ｈは、アース接点部２５に導電可能に接触する。接点部１２ｈは、開口部１２ｇとコネクター１１との間に位置する。接点部１２ｈは、例えば、コネクター取付部本体１２ａの下面に対して段差状に下方向に突出している。この結果、給紙装置２０のドロワーコネクター２４がコネクター１１に接続する前に、アース接点部２５が接点部１２ｈに接触する。
【００８０】
本体フレーム６に給紙装置２０が装着されると、給紙装置２０のドロワーコネクター２４がコネクター１１に連結する。また、給紙装置２０のアース接点部２５がコネクター取付部１２の接点部１２ｈに導電可能に接触する。この結果、アース接点部２５がコネクター取付部１２を介して本体フレーム６と電気的に接続される。
【００８１】
また、アース接点部２５は、ドロワーコネクター２４と位置決め突起部２３との間に配置されている。従って、給紙装置２０の上面２１ａ上で、図１を参照して説明した装置本体１０が前後に傾いたとき、ドロワーコネクター２４がコネクター１１から外れる前にアース接点部２５がコネクター取付部１２の接点部１２ｈから離れることを、抑制できる。
【００８２】
図１３を参照して、外装カバー２について説明する。図１３は、外装カバー２の右壁部２Ｒを下側から見た斜視図である。
【００８３】
外装カバー２の右壁部２Ｒは、右壁部本体２Ｒａと、前枠部２Ｒｂと、後枠部２Ｒｃと、底枠部２Ｒｄとを有する。
【００８４】
前枠部２Ｒｂ、後枠部２Ｒｃ及び底枠部２Ｒｄはそれぞれ、右壁部本体２Ｒａの前端部、後端部及び下端部に沿って設けられており、右壁部本体２Ｒａの内側主面２Ｒｈ側に突出している。
【００８５】
底枠部２Ｒｄは、切欠部２Ｒｉを有する。切欠部２Ｒｉは、コネクター取付部１２を底枠部２Ｒｄの下側に露出する。切欠部２Ｒｉは、矩形形状を有する。切欠部２Ｒｉは、底枠部２Ｒｄの前端部側に設けられている。
【００８６】
底枠部２Ｒｄは、図５を参照して説明したフランジ部６Ｒｂの外側（即ち右側）において、フランジ部６Ｒｂに沿って隣接する。切欠部２Ｒｉは、コネクター取付部１２の下側に配置される。従って、コネクター取付部１２に取り付けられたコネクター１１は、切欠部２Ｒｉから本体フレーム６の下側に露出する。この結果、本体フレーム６に配置されたコネクター１１と、図２を参照して説明したドロワーコネクター２４との連結が可能となる。
【００８７】
以上、図面（図１〜図１３）を参照しながら本発明の実施形態を説明した。但し、本発明は、上記の実施形態に限られるものではなく、その要旨を逸脱しない範囲で種々の態様において実施することが可能である（例えば、下記の変形例）。図面は、理解しやすくするために、それぞれの構成要素を主体に模式的に示しており、図示された各構成要素の厚み、長さ、個数等は、図面作成の都合上から実際とは異なる。また、上記の実施形態で示す各構成要素の材質や形状、寸法等は一例であって、特に限定されるものではなく、本発明の効果から実質的に逸脱しない範囲で種々の変更が可能である。
【００８８】
＜変形例＞
上記の実施形態においては、位置決め孔部１６は、左フレーム６Ｌにおける底フレーム６Ｓとの連結部分、及び、右フレーム６Ｒにおける底フレーム６Ｓとの連結部分に形成された。しかし、位置決め孔部１６は、左フレーム６Ｌにおける底フレーム６Ｓとの連結部分以外の部分、及び、右フレーム６Ｒにおける底フレーム６Ｓとの連結部分以外の部分に形成されてもよい。この場合は、第２位置決め孔部１４は設けられず、位置決め孔部１６は、第１位置決め孔部１３のみを含む。
【符号の説明】
【００８９】
１  画像形成装置
２  外装カバー
２ｂ  突出部
６  本体フレーム
６Ｌ  左フレーム（側壁フレーム）
６Ｌａ  左フレーム本体（側壁フレーム本体）
６Ｌｂ  フランジ部
６Ｒ  右フレーム（側壁フレーム）
６Ｒａ  右フレーム本体（側壁フレーム本体）
６Ｒｂ  フランジ部
６Ｓ  底フレーム
１０  装置本体
１１  コネクター（第２コネクター）
１２  コネクター取付部
１２ｇ  開口部
１３  第１位置決め孔部（第１孔部）
１４  第２位置決め孔部（第２孔部）
１６  位置決め孔部（位置決め部、孔部）
２０  給紙装置（供給装置）
２１ａ  上面（装着面）
２３  位置決め突起部（被位置決め部、突起部）
２４  ドロワーコネクター（第１コネクター）
２５  アース接点部
Ｐ  用紙
【図１】
0006520768.tif 000002
【図２】
0006520768.tif 000003
【図３】
0006520768.tif 000004
【図４】
0006520768.tif 000005
【図５】
0006520768.tif 000006
【図６】
0006520768.tif 000007
【図７】
0006520768.tif 000008
【図８】
0006520768.tif 000009
【図９】
0006520768.tif 000010
【図１０】
0006520768.tif 000011
【図１１】
0006520768.tif 000012
【図１２】
0006520768.tif 000013
【図１３】
0006520768.tif 000014